(57)【要約】【課題】デジタル信号ケーブルを介して外部装置からデジタル信号を入力する際に、デジタル信号の入力に関する不具合をより適切に判定することが可能な表示装置等を提供すること。【解決手段】表示装置の一種であるプロジェクター１００が、デジタル信号ケーブルを介して外部装置からデジタル信号を入力するデジタル信号入力部１４０と、前記デジタル信号の入力に関する不具合の発生有無を判定し、前記不具合が発生していない場合は、前記入力部に対し、前記外部装置との接続を確立させて前記デジタル信号を入力させ、前記不具合が発生している場合は、判定基準を変更して前記不具合の発生有無を再判定する判定部１５０を含んで構成される。【選択図】図２
2010197421.tif 000002
【特許請求の範囲】
【請求項１】
デジタル信号ケーブルを介して外部装置からデジタル信号を入力するデジタル信号入力部と、
前記デジタル信号の入力に関する不具合の発生有無を判定し、前記不具合が発生していない場合は、前記入力部に対し、前記外部装置との接続を確立させて前記デジタル信号を入力させ、前記不具合が発生している場合は、判定基準を変更して前記不具合の発生有無を再判定する判定部と、
を含む表示装置。
【請求項２】
請求項１に記載の表示装置において、
前記不具合を示す不具合情報を入力する情報入力部を含み、
前記判定部は、前記不具合情報に基づき、前記不具合の発生有無を再判定する、
表示装置。
【請求項３】
請求項２に記載の表示装置において、
前記不具合情報を生成するための不具合通知画像を生成する画像生成部と、
前記不具合通知画像を表示する表示部と、
を含む表示装置。
【請求項４】
請求項３に記載の表示装置において、
前記不具合通知画像は、
前記不具合の種別を指定するための種別指定画像と、
前記不具合の発生有無を判定するタイミングを指定するためのタイミング指定画像と、
を含み、
前記判定部は、前記種別指定画像における指定と、前記タイミング指定画像における指定とに応じて前記不具合の発生有無を再判定する、
表示装置。
【請求項５】
請求項１〜４のいずれかに記載の表示装置において、
前記判定部は、正常時の前記デジタル信号入力部の状態値と判定時の前記デジタル信号入力部の状態値とを比較することにより、前記不具合の発生有無の再判定が可能かどうかを判定する、
表示装置。
【請求項６】
デジタル信号ケーブルを介して外部装置からデジタル信号を入力するデジタル信号入力部を有するコンピューターに、
前記デジタル信号の入力に関する不具合の発生有無を判定するステップと、
前記不具合が発生していない場合は、前記入力部に対し、前記外部装置との接続を確立させて前記デジタル信号を入力させ、前記不具合が発生している場合は、判定基準を変更して前記不具合の発生有無を再判定するステップと、
を実行させるプログラム。
【請求項７】
デジタル信号ケーブルを介して外部装置からデジタル信号を入力するデジタル信号入力部を有するコンピューターにより読み取り可能なプログラムを記憶した情報記憶媒体であって、
請求項６に記載のプログラムを記憶した情報記憶媒体。
【発明の詳細な説明】
【技術分野】
【０００１】
本発明は、表示装置、プログラムおよび情報記憶媒体に関する。
【背景技術】
【０００２】
例えば、特開２００８−２７６０６７号公報では、双方向通信可能な映像出力装置に属性情報をより確実に送信可能な映像表示装置を提供することを目的として、属性情報の送信が正常に終了しなかった場合に接続検知ラインの状態を一時的に未接続を表す状態にした後、接続を表す状態に復帰させることが記載されている。
【先行技術文献】
【特許文献】
【０００３】
【特許文献１】特開２００８−２７６０６７号公報
【発明の概要】
【発明が解決しようとする課題】
【０００４】
しかし、上記公報の手法であっても、例えば、表示装置と、画像を表示装置に出力する画像出力装置との間に中継装置が存在している場合、属性情報の送信が正常に終了したかどうかを判定することは困難である。また、表示装置と画像出力装置との接続で不具合が発生した場合、そのままの状態で再接続したとしても適切に再接続できない場合がある。
【０００５】
本発明の目的は、デジタル信号ケーブルを介して外部装置からデジタル信号を入力する際に、デジタル信号の入力に関する不具合をより適切に判定することが可能な表示装置、プログラムおよび情報記憶媒体を提供することにある。また、本発明の他の目的は、デジタル信号ケーブルを介して外部装置からデジタル信号を入力する際に、より適切に外部装置と接続することが可能な表示装置、プログラムおよび情報記憶媒体を提供することにある。
【課題を解決するための手段】
【０００６】
上記課題を解決するため、本発明に係る表示装置は、デジタル信号ケーブルを介して外部装置からデジタル信号を入力するデジタル信号入力部と、前記デジタル信号の入力に関する不具合の発生有無を判定し、前記不具合が発生していない場合は、前記入力部に対し、前記外部装置との接続を確立させて前記デジタル信号を入力させ、前記不具合が発生している場合は、判定基準を変更して前記不具合の発生有無を再判定する判定部と、を含むことを特徴とする。
【０００７】
また、デジタル信号ケーブルを介して外部装置からデジタル信号を入力するデジタル信号入力部を有するコンピューターに、前記デジタル信号の入力に関する不具合の発生有無を判定するステップと、前記不具合が発生していない場合は、前記入力部に対し、前記外部装置との接続を確立させて前記デジタル信号を入力させ、前記不具合が発生している場合は、判定基準を変更して前記不具合の発生有無を再判定するステップと、を実行させることを特徴とする。
【０００８】
また、本発明に係る情報記憶媒体は、デジタル信号ケーブルを介して外部装置からデジタル信号を入力するデジタル信号入力部を有するコンピューターにより読み取り可能なプログラムを記憶した情報記憶媒体であって、上記プログラムを記憶したことを特徴とする。
【０００９】
本発明によれば、表示装置等は、不具合が発生している場合、判定基準を変更して不具合の発生有無を再判定することにより、デジタル信号ケーブルを介して外部装置からデジタル信号を入力する際に、デジタル信号の入力に関する不具合をより適切に判定することができる上、より適切に外部装置と接続することができる。
【００１０】
また、前記表示装置は、前記不具合を示す不具合情報を入力する情報入力部を含み、前記判定部は、前記不具合情報に基づき、前記不具合の発生有無を再判定してもよい。
【００１１】
これによれば、表示装置等は、内部的に不具合を判定できない場合であっても、外部から不具合情報を入力することにより、不具合を判定することができるため、より多様な不具合を判定することができる。
【００１２】
また、前記表示装置は、前記不具合情報を生成するための不具合通知画像を生成する画像生成部と、前記不具合通知画像を表示する表示部と、を含んでもよい。
【００１３】
これによれば、表示装置等は、不具合通知画像を表示してユーザーに不具合情報を入力させることができるため、より多様な不具合を判定することができる。
【００１４】
また、前記不具合通知画像は、前記不具合の種別を指定するための種別指定画像と、前記不具合の発生有無を判定するタイミングを指定するためのタイミング指定画像と、を含み、前記判定部は、前記種別指定画像における指定と、前記タイミング指定画像における指定とに応じて前記不具合の発生有無を再判定してもよい。
【００１５】
これによれば、表示装置等は、種別と判定タイミングの指定に応じて不具合の判定を行うことができるため、多様な不具合に対してより適切な判定を行うことができる。
【００１６】
また、前記判定部は、正常時の前記デジタル信号入力部の状態値と判定時の前記デジタル信号入力部の状態値とを比較することにより、前記不具合の発生有無の再判定が可能かどうかを判定してもよい。
【００１７】
これによれば、表示装置等は、正常時のデジタル信号入力部の状態値を基準として判定を行うことにより、より適切な判定を行うことができる。
【図面の簡単な説明】
【００１８】
【図１】第１の実施例におけるプロジェクターの使用状況を示す図である。
【図２】第１の実施例におけるプロジェクターの機能ブロック図である。
【図３】第１の実施例における不具合判定手順を示すフローチャートである。
【図４】第１の実施例における不具合通知画像の一例を示す図である。
【図５】第２の実施例におけるテレビの使用状況を示す図である。
【図６】第２の実施例におけるテレビの機能ブロック図である。
【図７】第２の実施例における不具合判定手順を示すフローチャートである。
【発明を実施するための形態】
【００１９】
以下、本発明をプロジェクターとテレビに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２０】
（第１の実施例）
図１は、第１の実施例におけるプロジェクター１００の使用状況を示す図である。表示装置の一種であるプロジェクター１００は、中継装置の一種であるＡＶアンプ２００を介して画像出力装置の一種であるＤＶＤプレーヤー３００と接続されている。なお、プロジェクター１００、ＡＶアンプ２００およびＤＶＤプレーヤー３００は、ＨＤＭＩケーブル、ＤＶＩケーブル等のデジタルケーブルを介して接続されている。
【００２１】
本実施例のプロジェクター１００は、このような場合であっても、デジタル信号の入力に関する不具合をより適切に判定し、より適切に外部装置と接続することができるように、ユーザーの要求に応じて不具合通知画像を投写し、不具合情報をユーザーに入力させ、当該不具合情報に応じて不具合発生有無の判定を行う機能を有する。
【００２２】
次に、このような機能を有するプロジェクター１００の機能ブロックについて説明する。図２は、第１の実施例におけるプロジェクター１００の機能ブロック図である。プロジェクター１００は、ユーザーによる不具合情報等を入力する情報入力部１１０と、判定基準データ１３２、画像データ１３４等を記憶する記憶部１３０と、不具合情報等に応じて判定基準データ１３２等を更新する更新部１２０と、判定基準データ１３２に基づく不具合の発生有無の判定等を行う判定部１５０と、ＡＶアンプ２００等からデジタル信号を入力するデジタル信号入力部１４０と、タイマー部１７０と、不具合通知画像等を生成する画像生成部１６０と、不具合通知画像等を表示する表示部の一種である投写部１９０を含んで構成されている。
【００２３】
なお、プロジェクター１００は、これらの各部の機能を、以下のハードウェアを用いて実装してもよい。例えば、プロジェクター１００は、情報入力部１１０はリモコン（リモートコントローラー）、ボタン等、更新部１２０、判定部１５０はＣＰＵ等、記憶部１３０は不揮発性メモリー等、デジタル信号入力部１４０はＨＤＭＩ端子等、画像生成部１６０は画像処理回路等、タイマー部１７０はタイマー等、投写部１９０はランプ、液晶パネル、液晶駆動回路、レンズ等を用いて実装してもよい。
【００２４】
また、プロジェクター１００は、判定部１５０等の機能を情報記憶媒体４００に記憶されたプログラムを読み取って実装してもよい。このような情報記憶媒体４００としては、例えば、ＣＤ−ＲＯＭ、ＤＶＤ−ＲＯＭ、ＲＯＭ、ＲＡＭ、ＨＤＤ等を適用できる。
【００２５】
次に、これらの各部を用いた不具合判定手順について説明する。図３は、第１の実施例における不具合判定手順を示すフローチャートである。ユーザーは、プロジェクター１００、ＡＶアンプ２００、ＤＶＤプレーヤー３００をＨＤＭＩケーブルで接続し、ＤＶＤプレーヤー３００を用いてＤＶＤの再生指示を行う。
【００２６】
例えば、ＤＶＤの再生指示を行ったにも関わらず、プロジェクター１００が画像を投写しない場合、ユーザーは、リモコン等を操作してプロジェクター１００に対して不具合通知画像の表示要求を行う。
【００２７】
判定部１５０は、情報入力部１１０への不具合通知画像の表示要求情報の入力有無を判定することにより、ユーザーによる不具合通知画像の表示要求があったかどうかを判定する（ステップＳ１）。
【００２８】
画像生成部１６０は、不具合通知画像の表示要求があった場合、記憶部１３０内の画像データ１３４を用いて不具合通知画像を生成し、投写部１９０は、当該不具合通知画像を投写する（ステップＳ２）。
【００２９】
図４は、第１の実施例における不具合通知画像６００の一例を示す図である。不具合通知画像６００は、不具合の種別を指定するための種別指定画像と、不具合の発生有無を判定するタイミングを指定するためのタイミング指定画像を含む。具体的には、種別指定画像としては、例えば、デジタル信号が入力されていないことを示す「Ｎｏ  Ｓｉｇｎａｌ」、デジタル信号が対象外の信号であることを示す「Ｎｏｔ  Ｓｕｐｐｏｒｔ」、Ｎｏ  Ｓｉｇｎａｌ等の表示はないが画像が表示されないことを示す「画像が表示されない」、画像は表示されるが画像の色が異常であることを示す「画像の色が異常」、音声が出力されないことを示す「音声が出力されない」を示す画像等が該当する。
【００３０】
また、タイミング指定画像は、例えば、不具合の種別ごとに設けられ、あるいは、種別に関わらず共通で設けられ、ソース切り替え等のあった時点から再接続（不具合の発生有無の判定）までの秒数を指定する画像である。なお、当該秒数の初期値は、例えば、５秒等である。
【００３１】
例えば、ＤＶＤの画像が表示されていない場合、ユーザーは、不具合通知画像６００において、「画像が表示されない」の選択肢を「いいえ」から「はい」に変更し、当該選択肢の右にある秒数を「５」から「１０」に変更し、「入力」を選択する。
【００３２】
情報入力部１１０は、不具合通知画像６００で指定された情報を不具合情報として入力する（ステップＳ３）。更新部１２０は、不具合情報に基づき、判定基準データ１３２を更新する（ステップＳ４）。
【００３３】
なお、判定基準データ１３２は、例えば、明るさレベルの基準値、音声レベルの基準値、ソース切り替え等のあった時点から再接続までの秒数、再接続の試行回数等を示すデータである。例えば、不具合情報に指定秒数を示す情報が含まれる場合、更新部１２０は、当該情報に応じて判定基準データ１３２の秒数を示すデータを更新する。
【００３４】
判定部１５０は、デジタル信号入力部１４０へのデジタル信号の入力状況と、判定基準データ１３２に基づき、不具合の発生有無を判定し（ステップＳ５）、不具合が発生したかどうかを判定する（ステップＳ６）。より具体的には、例えば、判定部１５０は、タイマー部１７０のタイマー値を参照して判定基準データ１３２で示された秒数になったかどうかを判定してもよい。
【００３５】
ステップＳ６の判定で不具合発生と判定された場合、連続して不具合が発生したことになるため、画像生成部１６０は、画像データ１３４に基づき、外部装置の電源を再投入することを指示する電源再投入指示画像を生成し、投写部１９０は、当該電源再投入指示画像を投写する（ステップＳ７）。
【００３６】
一方、ステップＳ６の判定で不具合発生と判定されなかった場合、デジタル信号入力部１４０は、外部装置との再接続を試行する（ステップＳ８）。
【００３７】
以上のように、本実施例によれば、プロジェクター１００は、不具合が発生している場合、判定基準を変更して不具合の発生有無を再判定することにより、デジタル信号ケーブルを介して外部装置からデジタル信号を入力する際に、デジタル信号の入力に関する不具合をより適切に判定することができる上、より適切に外部装置と接続することができる。
【００３８】
また、本実施例によれば、プロジェクター１００は、内部的に不具合を判定できない場合であっても、外部から不具合情報を入力することにより、不具合を判定することができるため、より多様な不具合を判定することができ、プロジェクター１００の製造時には未知であった不具合にも対応可能になる。
【００３９】
また、本実施例によれば、プロジェクター１００は、不具合通知画像６００を表示してユーザーに不具合情報を入力させることができるため、より多様な不具合を判定することができる。さらに、プロジェクター１００は、不具合通知画像６００を用いることにより、不具合の種別と判定タイミングの指定に応じて不具合の判定を行うことができるため、多様な不具合に対してより適切な判定を行うことができる。これにより、プロジェクター１００は、ＤＶＤプレーヤー３００からのデジタル信号を、ＡＶアンプ２００を介して入力するような場合であっても、適切な判定を行うことができる。
【００４０】
また、本実施例によれば、プロジェクター１００は、電源再投入指示画像等を投写することにより、ユーザーにとって対処方法がわかりやすく、ユーザーの利便性を高めることができる。
【００４１】
（第２の実施例）
第１の実施例では不具合情報が用いられているが、不具合情報は必須ではない。また、表示装置は、プロジェクター１００には限定されず、例えば、テレビ、ゲーム装置等であってもよい。次に、本発明を、不具合情報を用いないテレビに適用した実施例について説明する。
【００４２】
図５は、第２の実施例におけるテレビ５００の使用状況を示す図である。表示装置の一種であるテレビ５００は、ＤＶＤプレーヤー３００と接続されている。なお、テレビ５００およびＤＶＤプレーヤー３００は、ＨＤＭＩケーブル、ＤＶＩケーブル等のデジタルケーブルを介して接続されている。
【００４３】
図６は、第２の実施例におけるテレビ５００の機能ブロック図である。テレビ５００は、判定基準データ５３２、画像データ５３４等を記憶する記憶部５３０と、判定基準データ５３２に基づく不具合の発生有無の判定等を行う判定部５５０と、ＤＶＤプレーヤー３００等からデジタル信号を入力するデジタル信号入力部５４０と、タイマー部５７０と、不具合通知画像等を生成する画像生成部５６０と、不具合通知画像等を表示する表示部５９０を含んで構成されている。
【００４４】
テレビ５００のハードウェア構成は上述したプロジェクター１００と同様であるため説明を省略する、また、テレビ５００は、情報記憶媒体４０１に記憶されたプログラムを読み取って判定部５５０等の機能を実装してもよい。
【００４５】
次に、これらの各部を用いた不具合判定手順について説明する。図７は、第２の実施例における不具合判定手順を示すフローチャートである。ユーザーは、プロジェクター１００とＤＶＤプレーヤー３００をＨＤＭＩケーブルで接続し、ＤＶＤプレーヤー３００を用いてＤＶＤの再生指示を行う。
【００４６】
判定部５５０は、例えば、デジタル信号入力部５４０にプラグアンドプレイ信号（例えば、５Ｖ検出信号等）が入力された際にデジタル信号入力部５４０にＤＶＤプレーヤー３００との接続を試行させる（ステップＳ１１）。
【００４７】
判定部５５０は、ＤＶＤプレーヤー３００との接続状況に応じて不具合が発生したかどうかを判定する（ステップＳ１２）。例えば、判定部５５０は、判定基準データ５３２とタイマー部５７０のタイマー値を参照してデフォルトの秒数が経過した時点におけるデジタル信号入力部５４０に入力されたデジタル信号の状態を判定することにより、不具合が発生したかどうかを判定する。
【００４８】
具体的には、例えば、判定部５５０は、判定時点におけるデジタル信号が未入力の場合は「Ｎｏ  Ｓｉｇｎａｌ」と判定し、判定時点におけるデジタル信号が不安定な場合は「Ｎｏｔ  Ｓｕｐｐｏｒｔ」と判定し、判定時点におけるデジタル信号の音声レベルが閾値以下の場合は「音声が出力されない」と判定し、判定時点におけるデジタル信号の明るさレベルが設定範囲外の場合は「画像が表示されない」と判定し、判定時点におけるデジタル信号の画像に関する値が矛盾している場合は「画像の色が異常」と判定することにより、不具合が発生したと判定してもよい。
【００４９】
不具合が発生した場合、判定部５５０は、２回以上連続して不具合が発生していないかどうかを判定し（ステップＳ１３）、連続ではない場合は再判定可能かどうかを判定する（ステップＳ１４）。なお、判定部５５０は、例えば、現在（判定時）のデジタル信号入力部５４０におけるレジスター値（状態値）を正常時のデジタル信号入力部５４０におけるレジスター値（状態値）と比較し、所定の相違がある場合は再判定可能ではないと判定してもよい。
【００５０】
再判定可能な場合、判定部５５０は、判定基準データ５３２で示される判定基準を変更（例えば、再接続までの秒数を長くする等）して不具合発生有無を再判定する（ステップＳ１５）。
【００５１】
一方、再判定可能でない場合、画像生成部５６０は、画像データ５３４に基づき、ＨＤＭＩケーブルの接続等の確認指示を示す接続確認指示画像を生成し、表示部５９０は、当該接続確認指示画像を表示する（ステップＳ１６）。
【００５２】
また、２回以上連続して不具合が発生した場合、画像生成部５６０は、画像データ５３４に基づき、外部装置の電源再投入指示画像を生成し、表示部５９０は、当該電源再投入指示画像を表示する（ステップＳ１７）。
【００５３】
以上のように、本実施例によっても、テレビ５００は、第１の実施例と同様の作用効果を奏し、不具合が発生している場合、判定基準を変更して不具合の発生有無を再判定することにより、デジタル信号ケーブルを介して外部装置からデジタル信号を入力する際に、デジタル信号の入力に関する不具合をより適切に判定することができる上、より適切に外部装置と接続することができる。
【００５４】
（その他の実施例）
なお、本発明の適用は上述した実施例に限定されず、種々の変形が可能である。例えば、画像生成部１６０、５６０は、不具合が発生した場合、ソース切り替え時やプラグアンドプレイ信号の検出時等に再接続を行うかどうかをユーザーに選択させる画像を生成してもよい。これによれば、プロジェクター１００やテレビ５００は、ユーザーの選択に応じて再接続を行うかどうかを決定することができる。
【００５５】
また、不具合通知画像６００における指定は、不具合の種別と再接続の秒数には限定されず、例えば、音声レベル等の基準値、正常な明るさ等の範囲、解像度、ＥＤＩＤ(Extended Display Identification Data)等であってもよい。
【００５６】
また、判定部１５０、５５０は、外部装置の電源再投入が必要であると判定した場合、外部装置の電源再投入制御情報を生成し、デジタル信号入力部１４０、５４０は当該電源再投入制御情報を外部装置に出力してもよい。これによれば、プロジェクター１００等は、外部装置の電源再投入指示画像を表示することなく、自動的に不具合を解消する可能性を高めることができる。
【００５７】
また、更新部１２０は、記憶部１３０にすべての不具合情報を記憶してもよい。これによれば、開発者等は、記憶部１３０に記憶された不具合情報を用いて不具合を解消するためのファームウェア（例えば、接続プログラム、判定基準データ１３２、５３２等）等を開発しやすくなる。
【００５８】
また、判定基準データ１３２、５３２や更新部１２０は必須ではない。例えば、判定部１５０、５５０は、情報入力部１１０等によって入力された不具合情報を参照して上述した判定を行ってもよい。
【００５９】
また、プロジェクター１００は、液晶プロジェクター（透過型、ＬＣＯＳ等の反射型）には限定されず、例えば、ＤＭＤ(Digital Micromirror Device)を用いたプロジェクター等であってもよい。なお、ＤＭＤは米国テキサス・インスツルメンツ社の商標である。また、プロジェクター１００やテレビ５００の機能を複数の装置（例えば、ＰＣとプロジェクター、ゲーム装置とテレビ等）に分散して実装してもよい。
【符号の説明】
【００６０】
１００  プロジェクター（表示装置）、１１０  情報入力部、１２０  更新部、１３０、５３０  記憶部、１３２、５３２  判定基準データ、１３４、５３４  画像データ、１４０、５４０  デジタル信号入力部、１５０、５５０  判定部、１６０、５６０  画像生成部、１７０、５７０  タイマー部、１９０  投写部（表示部）、２００  ＡＶアンプ、３００  ＤＶＤプレーヤー、４００、４０１  情報記憶媒体、５００  テレビ（表示装置）、５９０  表示部、６００  不具合通知画像
【図１】
2010197421.tif 000003
【図２】
2010197421.tif 000004
【図３】
2010197421.tif 000005
【図４】
2010197421.tif 000006
【図５】
2010197421.tif 000007
【図６】
2010197421.tif 000008
【図７】
2010197421.tif 000009